(57)【要約】  【課題】切断作業者が刃先だけは切断用定規に沿っているものの、カッターナイフ自体は任意の角度に傾けて切断作業をしているとカッターナイフの刃先を持ち上げたときに、刃先が定規の上方へ入り込んでしまい、その結果、手を負傷してしまうという課題を解決する。  【解決手段】切断刃物のガイド面と切断対象物に接する面とのなす角が鈍角とし、切断刃物のガイド面と切断対象物に接しない定規上面とのなす角が鋭角とした、切断刃物のガイド面が切断対象物に対して傾斜した状態に構成する。【選択図】    図１
2012106296.tif 000002
【特許請求の範囲】
【請求項１】
シート状物を重ね合わせて切断し、その切断端面を合わせて接合するようなシート状物の切断用定規であって、
切断刃物のガイド面と切断対象物に接する面とのなす角が鈍角とされ、
切断刃物のガイド面と切断対象物に接しない定規上面とのなす角が鋭角とされ、
上記切断刃物のガイド面が切断対象物に対して傾斜した状態であること
を特徴とする切断用定規。
【請求項２】
切断刃物のガイド面の刃物本体側が位置する上面側に弾性部材を取り付けることによって、切断終了位置で刃物を持ち上げた際に弾性部材に切断刃物の刃先が接触することにより、上記弾性部材が弾性変形して抵抗となることにより切断用定規側へ切断刃物の刃先が入り込むことを防ぐことを特徴とする請求項１記載の切断用定規。
【請求項３】
切断用定規側面の第１の面及び第２の面に、定規が落下した際に床材等を損傷しないための弾性材を取付していることを特徴とする請求項１又は請求項２記載の切断用定規。
【請求項４】
切断対象物に接しない定規上面又は切断対象物に接する面のいずれかに切断刃物のガイド面の縁に当接する位置に目盛りを設けたことを特徴とする請求項１乃至請求項３のいずれかに記載の切断用定規。
【請求項５】
切断対象物に切断用定規を押さえつけるための穴を、切断対象物に接しない定規上面から切断対象物に接する面に貫通して３箇所設けたことを特徴とする請求項１乃至請求項４のいずれかに記載の切断用定規。
【発明の詳細な説明】
【技術分野】
【０００１】
本発明は、切断用定規に関するものである。さらに詳しくは、紙やフィルムのシート状物を表面に貼り付ける際に、シート状物を重ね合わせて切断し、切断した部分を除去して、その切断端面を接合して接合部分を目立たなくするという、例えば壁紙の重ね切り工法やダイノックシートやガラスフィルムの施工の際に使用する切断用定規に関するものである。
【背景技術】
【０００２】
従来から、壁紙の重ね切り工法に使用する切断用定規が知られている。切断用定規は切断する対象物の上に配置し、定規の側面を切断用のガイドとして切断する刃物を沿わせて移動させて使用するのであるが、従来の定規は、切断用のガイドとして使用する定規の側面が切断対象物に対して直角になっているものばかりであった。そのために、作業者が切断の刃物の刃先を定規に沿わせ、刃物角度を適当に傾けたりして裁断するという作業をしていた。
【０００３】
また特許文献１に示すような、定規本体の長手方向沿いの片側縁端部に楯壁を一体化に設けて該楯壁を撓み防止とガイド面と防護面とを兼備する事を特徴とする楯壁を設けた多様定規が知られているが、本発明に開示されているガイド面も切断対象物に対して直角になっているものであった。
【先行技術文献】
【特許文献】
【０００４】
【特許文献１】特開２００４−２７６２３５号公報
【発明の開示】
【発明が解決しようとする課題】
【０００５】
定規の側面が切断対象物に対して直角になっているものであると、定規を使用して切断し、定規の終端付近になってくるとカッターナイフを切断対象物から持ち上げるのであるが、この作業を行っているときには、カッターナイフの刃を定規の側面にぴったりと沿わせずに、切断作業者が刃先だけは切断用定規に沿っているものの、カッターナイフ自体は任意の角度に傾けて切断作業をしている場合がよくある。
【０００６】
刃先だけ定規に沿わせてカッターナイフを傾けて切断をすると、カッターナイフが安定せずに切断面の角度が一定とならずにうねりが生じて、波打った状態の切断面となってしまっていた。
【０００７】
そしてまた、切断中に定規の終端付近に来ると、刃先を定規の方へ沿わせる状態を保持しながら角度を注意して作業者が一定に保とうとしているために、定規方向への力が常にかかった状態となっているために、カッターナイフの刃先を持ち上げたときに、刃先が定規の上方へ入り込んでしまい、その結果、手を負傷してしまうという課題があった。
【課題を解決するための手段】
【０００８】
上記課題を解決するために、本発明の請求項１は、シート状物を重ね合わせて切断し、その切断端面を合わせて接合するようなシート状物の切断用定規であって、切断刃物のガイド面と切断対象物に接する面とのなす角が鈍角とされ、切断刃物のガイド面と切断対象物に接しない定規上面とのなす角が鋭角とされ、上記切断刃物のガイド面が切断対象物に対して傾斜した状態であることを特徴とする。
【０００９】
また、本発明の請求項２は、切断刃物のガイド面の刃物本体側が位置する上面側に弾性部材を取り付けることによって、切断終了位置で刃物を持ち上げた際に弾性部材に切断刃物の刃先が接触することにより、上記弾性部材が弾性変形して抵抗となることにより切断用定規側へ切断刃物の刃先が入り込むことを防ぐことを特徴とする。
【００１０】
また、本発明の請求項３は、切断用定規側面の第１の面及び第２の面に、定規が落下した際に床材等を損傷しないための弾性材を取付していることを特徴とする。
【００１１】
また、本発明の請求項４は、切断対象物に接しない定規上面又は切断対象物に接する面のいずれかに切断刃物のガイド面の縁に当接する位置に目盛りを設けたことを特徴とする。
【００１２】
また、本発明の請求項５は、切断対象物に切断用定規を押さえつけるための穴を、切断対象物に接しない定規上面から切断対象物に接する面に貫通して３箇所設けたことを特徴とする。
【発明の効果】
【００１３】
本発明によって、切断ガイド面を傾斜した状態に設けているために、切断刃物、例えばカッターナイフの刃先を切断ガイド面に沿わせることで刃先の傾斜角度を安定した状態で裁断することができる。そのために、刃先を切断ガイド面に沿わせるようにすることで定規の上方に刃先が入り込んでしまう方向への力のかけ方も無理に行うこともなく、そのために定規の上方に刃先が入り込んでしまうことや、切断対象物を波打った状態で切断してしまうことも防止することができ、傾斜角度を安定させて、かつ安全に切断作業をすることができる。
【００１４】
そして、特に内装の壁紙施工などの場合であると、端部を傾斜して切断し、その端部を重ね合わせた状態で壁面に貼り付けすることができるため、壁面に直角になった切断面よりも端部が目立ちにくく、湿気によって壁紙が膨張と収縮を繰り返した場合に下地に切断時の傷（石膏ボードの紙の部分に対する切断時の傷）があると目開きしやすくなるが、傾斜した状態に切断して重ね合わせて貼り付けしているために、直角に切断した場合よりこの目開きの発生がしない状態に仕上げることが可能となるのである。
【００１５】
また、切断刃物のガイド面の刃物本体側が位置する上面側に弾性部材を取り付けることにより、万一不注意等で切断刃物の刃先が定規上方に入り込みそうになった場合には、刃物に弾性部材が当接して、抵抗となり、定規の上方に刃先が入り込んでしまうことも防止するために安全に切断作業をすることができる。
【００１６】
切断用定規側面の第１の面及び第２の面に弾性材を取り付けることで、不注意で切断用定規を落下させてしまったりした場合に床材等を損傷することを防ぐことができる。
【図面の簡単な説明】
【００１７】
【図１】本発明の実施形態の１例を説明する斜視図である。
【図２】図１の第１の面側から見た側面図である。
【図３】本発明の実施形態の別の１例を説明する斜視図である。
【図４】図３の第１の面側から見た側面図である。
【図５】実施形態の別の１例を説明する側面図である。
【発明を実施するための最良の形態】
【００１８】
本発明の実施形態の１例を説明する。図１は１実施形態の斜視図である。
【００１９】
切断用定規１は巾が７０ｍｍ、長さ３００ｍｍ、厚みが５ｍｍの定規で、図１に示すように切断ガイド面２の片側端部である第１の面１ａは平面視で切断ガイド面２の上部の辺及び下部の辺それぞれと９０度、すなわち直角に設定され、切断用定規１の上面と下面と直角に設定されている。もう片方端部である第２の面１ｂは、平面視で切断ガイド面２の上部の辺下部の辺それぞれと４５度の角度に設定され、切断用定規１の上面と下面と直角に設定されている。第３の面１ｃは切断ガイド面２の上辺と平行で第１の面１ａと直角に設定されている。
【００２０】
切断ガイド面２は、図２に示すように、上面の辺よりも下面の辺が第３の面１ｃ側に位置して傾斜、すなわち、切断刃物のガイド面２と切断対象物に接する面とのなす角が鈍角で、切断刃物のガイド面２と切断対象物に接しない定規上面とのなす角が鋭角とされたガイド面２の傾斜に設定されている。図２に示した寸法ｔは０．５ｍｍに設定されており、角度θは定規の厚み５ｍｍ、寸法ｔ＝０．５ｍｍからｔａｎθ＝１０によりθ＝約８４．２９度である。もちろんθの角度は上記に限定するものではなく、寸法ｔを０．２ｍｍ〜１．５ｍｍ、すなわち角度θの約７３．３０度〜８７．７１度の範囲で適宜設定すればよく、ただ、あまりθの角度を小さくすると、切断ガイド面２にカッターナイフの刃先を沿わせるときにカッターナイフの傾きを大きくすることが必要となり、大きく傾けた状態で切断することが難しくなることと、カッターナイフを大きく傾けると、斜めに切断した壁紙が糊の水分によって伸張するために、斜めにカットした下側になる壁紙の上に上側の壁紙が乗り上げてしまようになり、下側になる壁紙の方向から乗り上げた壁紙の端部が陰になって見えてしまったりすることがあるために寸法ｔは０．２ｍｍ〜０．５ｍｍ程度（角度θの範囲は約８４度〜約８８度程度）として角度を適宜設定しておくことが望ましい。本実施形態の説明では、実際に切断をしてみて一番切断がしやすいとの結論が得られた上記の数値（寸法ｔ＝０．５ｍｍ）としている。図においては実寸法通りで作成すると傾斜がわかりにくいため、角度を実寸法ではなく強調した図としている。
【００２１】
そして、図１に図示しているように、切断ガイド面２に対する目盛り２ａを、第１の面１ａに対する目盛り３ａを、そして第２の面１ｃに対する目盛り３ｂをそれぞれ切断用定規１の上面（又は下面）に設けている。
【００２２】
また、切断用定規１には、作業者が指を入れて壁面や切断対象物に押しつけるための穴５が３箇所設けられている。例えば人差し指を第２の面１ｂに近い穴に入れ、親指を真ん中の穴５に入れて第２の面１ｂの側から切断ガイド面２にカッターナイフの刃を沿わせて切断を始める。そして切断位置が定規の中央付近にくると、定規をずれないように固定した状態で人差し指を真ん中の穴５に移動させ、親指を第１の面１ａ側の穴５に移動させてしっかりと固定した状態で切断作業をすることができるようにしている。
【００２３】
そして、また、第１の面１ａと第２の面１ｂには、それぞれの面と同形のラバー４ａ、４ｂを貼り付けている。このラバー４ａ、４ｂの貼り付けは、切断用定規１を不注意により落としてしまった場合などに、床面や壁面を傷つけないように保護するためのものである。もちろん定規自体の保護もその目的としていることはいうまでもない。
【００２４】
上記に説明したように、切断用定規１の切断ガイド面２を傾斜させて、その傾斜にカッターナイフなどの刃先を沿わせて切断するようにできるので、刃物の刃先角度を作業者自身で傾けた状態にしなくても容易に一定な角度に傾けた状態で切断作業を行える。
【００２５】
そして、切断ガイド面２に沿わせることに注意して作業をすることで、カッターナイフなどの刃物が定規の上面の辺を越えて定規上方へ入り込んでしまうことを防ぐことができ、その結果、刃先で手を怪我することを防止することができるようになるのである。
【００２６】
傾斜した状態で切断対象物を切断すると、その端部を合わせたときには、傾斜されて切断した端部が重なった状態となり、特に壁紙施工の場合などでは、壁紙の裏紙が重なった状態で壁に貼り付けされ、壁紙の表面の切断位置と壁紙を貼り付けする下地の刃先が当接した部分が垂直方向から見てずれた状態となるため、壁紙貼付後の目開きが発生しにくくできるのである。
【００２７】
次に別の実施形態について図３及び図４を用いて説明する。第１の面１ａ、第２の面１ｂ、第３の面１ｃと、目盛り３ａ、３ｂ、そしてラバー４ａ、４ｂと切断ガイド面２の傾斜、さらに穴５については図１及び図２で説明した実施形態と同様である。
【００２８】
図４に示すように、切断ガイド面２の上方に段差部を設け、その段差部にラバー２ｂを設けている。ラバー２ｂに厚みは１ｍｍで巾５ｍｍとし、ラバー２ｂと切断用定規１の上面は段差のない平面をなすように構成している。そして、ラバー２ｂに目盛り２ａと同等の目盛り２ｃを設けている。もちろんラバーの寸法は上記のみに限定するものではない。
【００２９】
目盛り２ｃをラバー２ｂに設ける実施形態として説明しているが、ラバー２ｂの巾を小さくし、すなわち段差部の巾を小さくして、切断用定規１の上面に目盛りを設けるようにしてもよいのである。
【００３０】
切断用定規１の上面にラバー２ｂを設けることで、切断作業中にカッターナイフ等を移動させて対象物を切断し、カッターナイフ等を上方に持ち上げて切断を終わらせる際に、カッターナイフ等の刃先が切断ガイド面２に刃先を沿わせるように力をかけているために切断用定規１の上面の上方に入り込もうとするが、刃先がラバー２ｂに当接し、ラバー２ｂが弾性変形し、摩擦力が大きくなることで手の方まで刃先が入り込むことを防ぐために怪我をしたりすることを防止することができる。
【００３１】
上記の実施形態では、穴５を設けることで説明しているが、適宜取手を設けるようにしてもかまわない。また、図５に示すように、目盛り２ａと同等の目盛りを付した板部材６をラバー２ｂと切断用定規１の接合部を覆うように定規の長さ方向にわたってネジ止め等で設け、板部材６で覆うことによりラバー２ｂの剥がれ防止をするようにしてもかまわない。
【符号の説明】
【００３２】
１  切断用定規
１ａ  第１の面
１ｂ  第２の面
１ｃ  第３の面
２  切断ガイド面
２ａ  目盛り
３ａ、３ｂ  目盛り
４ａ、４ｂ  ラバー
５  穴
【図１】
2012106296.tif 000003
【図２】
2012106296.tif 000004
【図３】
2012106296.tif 000005
【図４】
2012106296.tif 000006
【図５】
2012106296.tif 000007